(57)【要約】      （修正有）【課題】  コンビニエンスストア等で販売されているパック弁当を電子レンジで加熱する場合において、加熱する必要のないものを分離して、加熱の必要なものだけを容易に加熱できるようにする。【解決手段】  パック容器は、容器本体部と、該容器本体部に着脱自在に取り付けられる蓋部３と、からなっている。容器本体部は、第１、第２の容器本体部構成部４，５に分割可能になっていると共に、これら第１、第２の容器本体部構成部４，５は、連結手段６によって再結合可能になっている。前記連結手段６は、第１の容器本体部構成部４の一側部に設けられた重合部１１と、第２の容器本体部構成部５の一側部に設けられていて前記重合部１１に重ね合わせる被重合部１２と、該被重合部１２の端部に設けられていて前記重合部１１を挟着する挟着部１３と、で構成されている。【選択図】  図３
2006347562.tif 000002
【特許請求の範囲】
【請求項１】
容器本体部と、該容器本体部に着脱自在に取り付けられる蓋部と、からなるパック容器であって、
前記容器本体部は、第１、第２の容器本体部構成部に分割可能になっていると共に、これら第１、第２の容器本体部構成部は、連結手段によって再結合可能になっていることを特徴とするパック容器。
【請求項２】
前記連結手段は、前記第１の容器本体部構成部の一側部に設けられた重合部と、前記第２の容器本体部構成部の一側部に設けられていて前記重合部に重ね合わせる被重合部と、該被重合部の端部に設けられていて前記重合部を挟着する挟着部と、で構成されていることを特徴とする請求項１に記載のパック容器。
【請求項３】
前記挟着部は、前記被重合部の端部に折り曲げ部を介して設けられた舌片と、該舌片に設けられた凸部と、前記被重合部の端部に設けられていて前記舌片を前記重合部に重ね合わせたときに前記凸部を嵌合係止する凹部と、前記重合部の端部に設けられていて前記凸部を前記凹部に嵌合する際に前記凸部が挿入される凸部受け孔と、で構成されていることを特徴とする請求項２に記載のパック容器。
【請求項４】
前記蓋部は、前記容器本体部の第１、第２の容器本体部構成部にに合わせて第１、第２の蓋部構成部に分割可能になっていることを特徴とする請求項１に記載のパック容器。
【発明の詳細な説明】
【技術分野】
【０００１】
本発明は、所謂コンビニ弁当等に使用して好適なパック容器に関するものである。
【背景技術】
【０００２】
図８に示すように、コンビニ弁当等に使用されるパック容器１０１は、一般に容器本体部１０２と、該容器本体部１０２に着脱自在に取り付けられる蓋部１０３と、からなっている。そして、前記パック容器１０１に詰められた弁当は、必要に応じて電子レンジ等で再加熱されて販売される。ところで、前記パック容器１０１に詰められている物の中には加熱しない方がよい物もある。しかし、図８に示すような容器本体部１０２が一体に形成されたパック容器において、収納されている総菜や米飯等を選択的に加熱するのは困難である。
【０００３】
選択的に加熱するには、例えば図９に示すように、パック容器１０１に切り離し部１１１を設け、該切り離し部１１１で前記パック容器１０１を第１、第２の容器構成部１１２，１１３に分割して、一方の容器構成部を加熱可能にした所謂分割型のパック容器が開発されている（例えば、特許文献１、特許文献２）
【特許文献１】特開２００２−１１４２６５号公報
【特許文献２】特開平０９−１８８３２９号公報
【発明の開示】
【発明が解決しようとする課題】
【０００４】
ところで上記従来の所謂分割型のパック容器は、一度分割してしまうと再び結合するのが難しく、このため、例えばコンビニエンスストア、スーパーマーケット、惣菜店、デザート販売店等で販売されているパック弁当の一部を分割して電子レンジで加熱した場合に、再結合して元の状態に戻すのが難しいという問題点があった。
【０００５】
本発明の目的は、必要に応じて容易に分離することができると共に、必要に応じて容易に再結合することができるパック容器を提供することにある。
【課題を解決するための手段】
【０００６】
請求項１の発明は、容器本体部と、該容器本体部に着脱自在に取り付けられる蓋部と、からなるパック容器において、前記容器本体部を、第１、第２の容器本体部構成部に分割可能にすると共に、これら第１、第２の容器本体部構成部を、連結手段によって連結可能にした。
【０００７】
請求項２の発明は、請求項１のパック容器において、前記連結手段を、前記第１の容器本体部構成部の一側部に設けられた重合部と、前記第２の容器本体部構成部の一側部に設けられていて前記重合部に重ね合わせる被重合部と、該被重合部の端部に設けられていて前記重合部を挟着する挟着部と、で構成した。
【０００８】
請求項３の発明は、請求項２のパック容器において、前記挟着部を、前記被重合部の端部に折り曲げ部を介して設けられた舌片と、該舌片に設けられた凸部と、前記被重合部の端部に設けられていて前記舌片を前記重合部に重ね合わせたときに前記凸部を嵌合係止する凹部と、前記重合部の端部に設けられていて前記凸部を前記凹部に嵌合する際に前記凸部が挿入される凸部受け孔と、で構成した。
【０００９】
請求項４の発明は、請求項１のパック容器において、前記蓋部を、前記容器本体部の第１、第２の容器本体部構成部に合わせて第１、第２の蓋部構成部に分割可能にした。
【発明の効果】
【００１０】
（１）請求項１のパック容器は、必要に応じて容器本体部を、第１、第２の容器本体部構成部に分割可能にすると共に、必要に応じて、再び前記分割した第１、第２の容器本体部構成部を一体的に連結することができる。
（２）請求項２のパック容器は、前記第１の容器本体部構成部の一側部に設けられた重合部に、前記第２の容器本体部構成部の一側部に設けた被重合部を重ね合わせて、これら重合部と被重合部を挟着部で挟着することにより前記第１の容器本体部構成部と前記第２の容器本体部構成部を一体的に連結することができる。
（３）請求項３のパック容器は、前記第１の容器本体部構成部の一側部に設けられた重合部に、前記第２の容器本体部構成部の一側部に設けた被重合部を重ね合わせて、該被重合部の端部に設けた舌片を折り曲げ部で折り曲げて前記重合部に重ね合わせ、前記舌片に設けた凸部を前記重合部に設けた凸部受け孔を介して前記被重合部の端部に設けた凹部に嵌合係止することにより前記第１、第２の容器本体部構成部を一体的に連結することができる。
（４）請求項４のパック容器は、前記蓋部を、前記容器本体部の第１、第２の容器本体部構成部に合わせて第１、第２の蓋部構成部に分割することにより、蓋をした状態で一方の容器本体部構成部を電子レンジ等で加熱する場合においても、従来の一体型の蓋部を使用する場合に較べてスペースを取らず、電子レンジ等への収容が楽になる。従って、複数の容器本体部構成部を電子レンジに収納することも可能になる。
【発明を実施するための最良の形態】
【００１１】
図1は、本発明のパック容器１の斜視図、図２は容器本体部２から蓋部３を取外した状態の斜視図、図３は容器本体部２を第１、第２の容器本体部構成部４，５に分割した状態の斜視図である。
【００１２】
図１、図２に示すように、前記パック容器１は、容器本体部２と、該容器本体部２に着脱自在に取り付けられる蓋部３と、からなっている。
【００１３】
前記容器本体部２は、第１、第２の容器本体部構成部４，５に分割可能になっていると共に、連結手段６によって連結可能になっている。
【００１４】
図３に示すように、前記連結手段６は、前記第１の容器本体部構成部４の一側部に設けられた重合部１１と、前記第２の容器本体部構成部５の一側部に設けられていて前記第１の容器本体部構成部４の一側部に設けられた重合部１１に重ね合わせる被重合部１２と、該被重合部１２の端部に設けられていて前記第１の容器本体部構成部４の重合部１１を挟着する挟着部１３と、で構成されている。
【００１５】
前記挟着部１３は、前記第２の容器本体部構成部５の被重合部１２の端部に折り曲げ部１４を介して設けられた舌片１５と、該舌片１５に設けられた凸部１６と、前記被重合部１６の端部に設けられていて前記舌片１５を前記折り曲げ部１４で略１８０°折り曲げたときに前記凸部１６が嵌合係止する凹部１７と、前記重合部１１の端部に設けられていて該重合部１１の下面に前記被重合部１６を重ね合わせたときに前記凹部１７上に位置する凸部受け孔１８と、で構成されている。
【００１６】
前記第１の容器本体部構成部４は、複数の惣菜収納部２１と米飯収納部２２を備えていると共に、周縁部の上面にはリブ状の位置決め用の膨出部２３を備えている。前記第２の容器本体部構成部５は、複数の惣菜収納部３１を備えていると共に、周縁部の上面にはリブ状の位置決め用の膨出部３２を備えている。
【００１７】
図４に示すように、前記重合部１１の下面に前記被重合部１２を重ね合わせると、前記重合部１１に設けた位置決め用の膨出部２３内に前記被重合部１２に設けた位置決め用の膨出部３２が嵌合して両者の位置決めが為される。両者の位置決めが為されると、図５に示すように、前記凸部受け孔１８の位置と前記凹部１７の位置が合致する。
【００１８】
そして、図６に示すように、前記舌片１５を前記折り曲げ部１４で折り曲げて前記重合部１１に重ね合わせ、前記舌片１５に設けた凸部１６を前記重合部１１に設けた凸部受け孔１８を介して前記被重合部１２の端部に設けた凹部１７に嵌合係止することにより前記第１，第２の容器本体部構成部４，５は一体的に連結される。
【００１９】
図３に示すように、前記蓋部３は、周縁部の下面に膨出部４１を備えていて、前記容器本体部２に組み付けると、図７に示すように、前記膨出部４１が前記第１，第２の容器本体部構成部４，５の周縁部リブ状の位置決め用の膨出部２３，３２の内側に嵌合した状態で前記容器本体部２に取り付けられる。
【００２０】
図２に示すように、前記蓋部３の膨出部４１の外面と、前記第１,第２の容器本体部構成部４，５の膨出部２３，３２の内面には、蓋をしたときに互いに係合する凹部５１と凸部５２が設けられていて、これら凹，凸部５１，５２の係合により、前記蓋部３は、前記容器本体部２から容易に脱落しないようになっている。
【００２１】
また、図７に示すように、前記蓋部３は、前記容器本体部２の第１、第２の容器本体部構成部４，５に合わせて易破断部６１によって第１、第２の蓋部構成部分６２，６３に分割可能になっている。前記容器本体部２と蓋部３は、プラスチックにより形成されている。
【００２２】
次に、上記パック容器１の使用方法の一例について説明する。前記容器本体部２の第１の容器本体部構成部４の惣菜収納部２１には再加熱した方が美味しい、或いは加熱を必要とする惣菜を収納すると共に、米飯収納部２２に米飯を収納する。一方、第２の容器本体部構成部５の惣菜収納部３１には加熱をしてはならない、或いは加熱をしないほうが美味しい惣菜を収納する。そして、上記総菜や米飯を収納した容器本体部２に蓋部３をしてコンビニエンスストア等で販売に供される。
【００２３】
そして、上記弁当を購入した人の要望がある場合には、前記容器本体部２を第１の容器本体部構成部４と第２の容器本体部構成部５とに分割して、加熱を要する第１の容器本体部構成部４のみを電子レンジ等で加熱する。
【００２４】
加熱が終了したら前記連結手段６で再び第１の容器本体部構成部４と第２の容器本体部構成部５を連結する。なお、上記第１の容器本体部構成部４を加熱する場合に、前記蓋部３を前記易破断部６１で第１、第２の蓋部構成部分６２，６３に分割してから加熱しても良い。また、蓋部３を分割せずに、蓋部３全体を上記第１の容器本体部構成部４に取り付けた侭の状態で加熱しても良いし、或いは上記第１の容器本体部構成部４から蓋部３を取外した状態で加熱しても良い。なお、上記実施例では、前記連結手段６を、前記第１の容器本体部構成部４の一側部に設けられた重合部１１と、前記第２の容器本体部構成部５の一側部に設けられていて前記第１の容器本体部構成部４の一側部に設けられた重合部１１に重ね合わせる被重合部１２と、該被重合部１２の端部に設けられていて前記第１の容器本体部構成部４の重合部１１を挟着する挟着部１３と、で構成し、前記挟着部１３を、前記被重合部１２の端部に折り曲げ部１４を介して設けられた舌片１５と、該舌片１５に設けられた凸部１６と、前記被重合部１２の端部に設けられていて前記舌片１５を前記重合部１１に重ね合わせたときに前記凸部１６を嵌合係止する凹部１７と、前記重合部１１の端部に設けられていて前記凸部１６を前記凹部１７に嵌合する際に前記凸部１６が挿入される凸部受け孔１８と、で構成した場合を示したが前記重合部１１と被重合部１２に、凹部と凸部を設け、これら凹部と凸部を嵌め合わせて第１の容器本体部構成部４と第２の容器本体部構成部５を連結する構成にしてもよい。この場合は折り曲げ部は不要になる。
【図面の簡単な説明】
【００２５】
【図１】パック容器１の斜視図。
【図２】容器本体部から蓋部を取外した状態の斜視図。
【図３】容器本体部を第１、第２の容器本体部構成部に分割した状態の斜視図。
【図４】図２のＡ−Ａ断面図。
【図５】図２のＢ−Ｂ断面図。
【図６】舌片を折り曲げて凸部を凹部内に嵌合係止した状態の断面図。
【図７】図１のＣ−Ｃ断面図。
【図８】従来例の斜視図。
【図９】他の従来例の斜視図。
【符号の説明】
【００２６】
１…パック容器、２…容器本体部、３…蓋部、４…第１の容器本体部構成部、５…第２の容器本体部構成部、６…連結手段、１１…重合部、１２…被重合部、１３…挟着部、１４…折り曲げ部、１５…舌片、１６…凸部、１７…凹部、１８…凸部受け孔、２１，３１…惣菜収納部、２２…米飯収納部、２３，３２…容器本体部の周縁部に設けられた膨出部、４１…蓋部の周縁部に設けられた膨出部、６１…易破断部、６２…第１の蓋部構成部、６３…第２の蓋部構成部。
【図１】
2006347562.tif 000003
【図２】
2006347562.tif 000004
【図３】
2006347562.tif 000005
【図４】
2006347562.tif 000006
【図５】
2006347562.tif 000007
【図６】
2006347562.tif 000008
【図７】
2006347562.tif 000009
【図８】
2006347562.tif 000010
【図９】
2006347562.tif 000011